(57)【要約】【課題】複数のワイヤハーネスの電線間の接続パターンやスプライス接続する電線を変更する場合に、ワイヤハーネス自体の変更を伴うことなくワイヤハーネスの回路変更を容易に行うことができるジョイントコネクタを提供する。【解決手段】ジョイントコネクタ本体１１は、一対のワイヤハーネスＷＨ１，ＷＨ２の端部に設けられた各コネクタ１６，１７，１８が嵌合される複数のコネクタ装着部１３，１４，１５と、各コネクタ装着部１３，１４，１５の各端子収容室１３ａ，１４ａ，１５ａに収容自在に設けられ、各コネクタ装着部１３，１４，１５内に配置された所望の端子２０ａ，２１ａ間を電気的に接続する複数の内部配線用電線２０，２１とを備え、ジョイントコネクタ本体１１の各コネクタ装着部１３，１４，１５に一対のワイヤハーネスＷＨ１，ＷＨ２の各コネクタ１６，１７，１８を嵌合することにより合体ワイヤハーネスＷＨを構成した。【選択図】      図２
2004158234.tif 000002
【特許請求の範囲】
【請求項１】
複数のワイヤハーネスの端部に設けられた各コネクタが嵌合されるジョイントコネクタ本体を有したジョイントコネクタにおいて、
前記ジョイントコネクタ本体に、前記各コネクタが嵌合される複数のコネクタ装着部と、この各コネクタ装着部の各端子収容室に収容自在に設けられ、該各コネクタ装着部内に配置された所望の端子間を電気的に接続する複数の内部配線用電線とを備え、前記ジョイントコネクタ本体の各コネクタ装着部に前記各コネクタを嵌合して合体ワイヤハーネスを構成したことを特徴とするジョイントコネクタ。
【発明の詳細な説明】
【０００１】
【発明の属する技術分野】
本発明は、複数のワイヤハーネス間を接続するジョイントコネクタに関する。
【０００２】
【従来の技術】
この種の従来のジョイントコネクタとして、図３に示すものがある（例えば、特許文献１参照。）。
【０００３】
このジョイントコネクタ１は、図３に示すように、一対のワイヤハーネスＷＨ１，ＷＨ２の一部電線Ｗ１，Ｗ２がそれぞれ接続され、互いに嵌合可能な２つのメインコネクタ２，３と、一対のワイヤハーネスＷＨ１，ＷＨ２の一部電線Ｗ３，Ｗ４が接続された２つのサブコネクタ４，５と、この２つのサブコネクタ４，５が嵌合され、２つのサブコネクタ４，５の全ての端子４ａ，５ａ間を電気的に接続するサブジョイントコネクタ６とを備えている。
【０００４】
そして、一対のワイヤハーネスＷＨ１，ＷＨ２間の所定の電線Ｗ１，Ｗ２間をメインコネクタ２，３を介して電気的に接続すると共に、一対のワイヤハーネスＷＨ１，ＷＨ２間の一部電線Ｗ３，Ｗ４や一対のワイヤハーネスＷＨ１，ＷＨ２の一部電線Ｗ３，Ｗ４間をサブコネクタ４，５及びサブジョイントコネクタ６を介してスプライス接続する（継ぎ合わせる）ようになっている。
【０００５】
【特許文献１】
特開２００２−５０２４１号公報
【０００６】
【発明が解決しようとする課題】
しかしながら、前記従来のジョイントコネクタ１では、一対のワイヤハーネスＷＨ１．ＷＨ２の電線Ｗ１，Ｗ２間の接続パターンを変更する場合に、ワイヤハーネスＷＨ１，ＷＨ２の各電線Ｗ１，Ｗ２を接続するメインコネクタ２，３の端子位置を可変しなければならない。
【０００７】
また、スプライス接続する電線Ｗ３，Ｗ４を変更するためには、ワイヤハーネスＷＨ１，ＷＨ２の所定の各電線をサブコネクタ４，５に接続変更しなければならない。つまり、一対のワイヤハーネスＷＨ１，ＷＨ２を合体して構成される合体ワイヤハーネスの配線パターンを変更する場合には、一対のワイヤハーネスＷＨ１，ＷＨ２自体を異なる構造としなければならない。
【０００８】
そこで、本発明は、前記した課題を解決すべくなされたものであり、複数のワイヤハーネスの電線間の接続パターンやスプライス接続する電線を変更する場合に、ワイヤハーネス自体の変更を伴うことなくワイヤハーネスの回路変更を容易に行うことができるジョイントコネクタを提供することを目的とする。
【０００９】
【課題を解決するための手段】
請求項１の発明は、複数のワイヤハーネスの端部に設けられた各コネクタが嵌合されるジョイントコネクタ本体を有したジョイントコネクタにおいて、前記ジョイントコネクタ本体に、前記各コネクタが嵌合される複数のコネクタ装着部と、この各コネクタ装着部の各端子収容室に収容自在に設けられ、該各コネクタ装着部内に配置された所望の端子間を電気的に接続する複数の内部配線用電線とを備え、前記ジョイントコネクタ本体の各コネクタ装着部に前記各コネクタを嵌合して合体ワイヤハーネスを構成したことを特徴とする。
【００１０】
このジョイントコネクタでは、内部配線用電線の配線パターンを変更することによって複数のワイヤハーネスの電線間の接続が簡単に変更され、また、スプライス接続する電線が簡単に変更される。さらに、ジョイントコネクタ本体の各コネクタ装着部に複数のワイヤハーネスの各コネクタを嵌合して合体ワイヤハーネスを構成したので、車両へのワイヤハーネスの組み付け作業性が向上し、全体の生産性が向上する。
【００１１】
【発明の実施の形態】
以下、本発明の一実施形態を図面に基づいて説明する。
【００１２】
図１、図２は本発明の一実施形態を示し、図１は車両に配索されるワイヤハーネスの組み付け状態を示す構成図、図２はジョイントコネクタの斜視図である。
【００１３】
図１，図２に示すように、一対のワイヤハーネスＷＨ１，ＷＨ２を接続するジョイントコネクタ１０は、合成樹脂製のジョイントコネクタ本体１１と、このジョイントコネクタ本体１１に装着される合成樹脂製のカバー１２とを備えている。ジョイントコネクタ本体１１は３つのコネクタ装着部１３，１４，１５を有し、この各コネクタ装着部１３，１４，１５には一対のワイヤハーネスＷＨ１，ＷＨ２の各コネクタ１６，１７，１８がそれぞれ嵌合されるようになっている。
【００１４】
一方の１つのコネクタ１６には、一方のワイヤハーネスＷＨ１の全電線Ｗ１の端部が接続されている。また、他方の２つのコネクタ１７，１８には他方のワイヤハーネスＷＨ２の全電線が２分割され、分割された部分の各全電線Ｗ２の端部がそれぞれ接続されている。
【００１５】
一対のワイヤハーネスＷＨ１，ＷＨ２の電線Ｗ１，Ｗ２間を接続させるための内部配線用電線２０は、その両端部に端子２０ａ，２０ａが接続されている。この両端の端子２０ａ，２０ａは、コネクタ装着部１３，１４，１５の端子収容室１３ａ，１４ａ，１５ａに収容自在に設けられており、所望の接続パターンに基づいて所望のコネクタ装着部１３，１４，１５の端子収容室１３ａ，１４ａ，１５ａに収容されている。スプライス接続用の複数本の内部配線用電線２１は、各一端部にのみ端子２１ａが接続され、他端部は内部の導電線２１ｂが互いに接続された電線接続部２２となっている。
【００１６】
内部配線用電線２１の一端部の各端子２１ａは、コネクタ装着部１３，１４，１５の端子収容室１３ａ，１４ａ，１５ａに収容自在に設けられており、所望のスプライス接続パターンに基づいて所定のコネクタ装着部１３，１４，１５の所望の端子収容室１３ａ，１４ａ，１５ａに収容されている。電線接続部２２は、例えば複数本の導電線２１ｂを締結具等で共に固定し、この部分を粘着テープ等でテーピングすることによって形成されている。
【００１７】
カバー１２は、ジョイントコネクタ本体１１の上面側の全体を覆う形状を有し、その下端面がジョイントコネクタ本体１１の上端面に一致する状態で組み付けられるようになっている。
【００１８】
このジョイントコネクタ１０によれば、複数の内部配線用電線２０を介して一対のワイヤハーネスＷＨ１，ＷＨ２間の所定の電線Ｗ１，Ｗ２間が電気的に接続されると共に、内部配線用電線２１を介して一部の電線間がスプライス接続される。そして、内部配線用電線２０，２１の配線パターンを変更することによって一対のワイヤハーネスＷＨ１，ＷＨ２の電線Ｗ１，Ｗ２間の接続変更やスプライス接続する電線を容易に変更（回路変更）することができる。
【００１９】
図１に示すように、車両９の室内及びトランクルームの外周に一対のワイヤハーネスＷＨ１，ＷＨ２を配索して組み付ける場合には、予めジョイントコネクタ１０により一対のワイヤハーネスＷＨ１，ＷＨ２を接続して合体ワイヤハーネスＷＨを製造しておく。これにより、車両９の室内及びトランクルームの外周に沿って一対のワイヤハーネスＷＨ１，ＷＨ２を配索する際に、狭い作業空間や手探りによる一対のワイヤハーネスＷＨ１，ＷＨ２の接続作業等が不要となり、その組み付け作業性が非常に容易となる。その結果、ワイヤハーネス組み付け工程での生産性を向上させることができ、その分低コスト化を図ることができる。
【００２０】
また、車両９へのワイヤハーネス組み付け工程において、一対のワイヤハーネスＷＨ１，ＷＨ２の電線Ｗ１，Ｗ２間の接続パターンやスプライス接続する電線を変更する場合に、内部配線用電線２０，２１の配線パターンを変更することによって一対のワイヤハーネスＷＨ１，ＷＨ２自体の変更を伴うことなく合体ワイヤハーネスＷＨの回路変更を容易に行うことができる。
【００２１】
さらに、合体ワイヤハーネスＷＨは、一対のワイヤハーネスＷＨ１，ＷＨ２に分割でき、しかも、合体ワイヤハーネスＷＨの配線パターンにかかわらず同一構成のワイヤハーネスＷＨ１，ＷＨ２のみを生産すれば足りるため、非常に生産性が良く、低コストで製造することができる。
【００２２】
尚、前記実施形態では、ジョイントコネクタ本体１１には３つのコネクタ装着部１３，１４，１５が設けられているが、２つでも、或いは、４つ以上であっても良いことは勿論である。
【００２３】
【発明の効果】
以上説明したように、請求項１の発明によれば、ジョイントコネクタ本体に、複数のワイヤハーネスの端部に設けられた各コネクタが嵌合される複数のコネクタ装着部と、この各コネクタ装着部の各端子収容室に収容自在に設けられ、各コネクタ装着部内に配置された所望の端子間を電気的に接続する複数の内部配線用電線とを備えたので、内部配線用電線の配線パターンを変更することによって一対のワイヤハーネスの電線間の接続を容易に変更することができ、また、スプライス接続する電線を容易に変更することができる。従って、複数のワイヤハーネスの電線間の接続パターンやスプライス接続する電線を変更する場合に、ワイヤハーネス自体の変更を伴うことなくワイヤハーネスの回路変更を容易に行うことができる。
【００２４】
また、ジョイントコネクタ本体の各コネクタ装着部に複数のワイヤハーネスの各コネクタを嵌合して合体ワイヤハーネスを構成したので、車両へのワイヤハーネスの組み付け作業性を向上させることができ、全体の生産性を向上させることができる。
【図面の簡単な説明】
【図１】本発明の一実施形態を示し、車両に配索されるワイヤハーネスの組み付け状態を示す構成図である。
【図２】本発明の一実施形態を示し、ジョイントコネクタの斜視図である。
【図３】従来例のジョイントコネクタの構成図である。
【符号の説明】
１０  ジョイントコネクタ
１１  ジョイントコネクタ本体
１３，１４，１５  コネクタ装着部
１３ａ，１４ａ，１５ａ  端子収容室
１６，１７，１８  コネクタ
２０，２１  内部配線用電線
２０ａ，２１ａ  端子
ＷＨ１，ＷＨ２  ワイヤハーネス
ＷＨ  合体ワイヤハーネス
【図１】
2004158234.tif 000003
【図２】
2004158234.tif 000004
【図３】
2004158234.tif 000005